(57)【要約】【課題】  上下面を均一に明るく光らせることのできる浴室用間接照明装置を提供する。【解決手段】  浴室の壁面から突出された箱体６内の左右両端の少なくとも一端側に光源２２を縦設し、光源２２から箱体６内に照射された光を、箱体６内に横向きの光を上または下方向へ反射すべく斜めに設けた反射板３０ａ，３０ｂで上下方向に反射させて箱体６の上下面を光らせるように構成した浴室用間接照明装置において、反射板３０ａ，３０ｂは、光源２２の対向端に設けられており、反射板３０ａ，３０ｂは、上下面から箱体中心に向かって斜めに設けられ、反射板３０ａ，３０ｂの大きさは、水平距離にして光源２２のある端と対向する端の距離ａの４〜６割の距離ｂの大きさに設定されている。【選択図】  図１４
2005228654.tif 000002
【特許請求の範囲】
【請求項１】
浴室の壁面から突出された箱体内の左右両端の少なくとも一端側に光源を縦設し、該光源から箱体内に照射された光を、箱体内に横向きの光を上または下方向へ反射すべく斜めに設けた反射板で上下方向に反射させて箱体の上下面を光らせるように構成した浴室用間接照明装置において、前記反射板は、前記光源の対向端に設けられており、該反射板は、上下面から箱体中心に向かって斜めに設けられ、該反射板の大きさは、水平距離にして光源のある端と対向する端の距離の４〜６割の距離の大きさに設定されていることを特徴とする浴室用間接照明装置。
【請求項２】
前記反射板の反射面が凹曲面に形成されていることを特徴とする請求項１に記載の浴室用間接照明装置。
【請求項３】
浴室の壁面から突出させた箱体の少なくとも横方向一端側に光源を縦設し、該光源から発光面を介して箱体内に照射された光により、箱体の少なくとも上下面が光るように構成した浴室用間接照明装置において、前記発光面に、前記箱体内に照射される光を上下方向の中心に向けて屈曲させる処理を施したことを特徴とする浴室用間接照明装置。
【請求項４】
浴室の壁面から突出させた箱体の少なくとも横方向一端側に光源を縦設し、該光源から発光面を介して箱体内に照射された光により、箱体の少なくとも上下面が光るように構成した浴室用間接照明装置において、前記発光面の上下端側の透光量が中央側より減ずるように構成したことを特徴とする浴室用間接照明装置。
【請求項５】
前記箱体の前面に鏡を設けたことを特徴とする請求項１または請求項２または請求項３または請求項４に記載の浴室用間接照明装置。
【発明の詳細な説明】
【技術分野】
【０００１】
本発明は、浴室内に設けられる間接照明装置に関するものである。
【背景技術】
【０００２】
従来、例えば図１９に示すように、前面に横長鏡５２を有する箱体５１の上面には天板５３を、底側には底板５４を、左右の側面には側板５５を被せて、天板５３側及び底板５４側に、それぞれ横長の蛍光灯５６，５６を配設させ、また左右の側板５５，５５側には縦方向に蛍光灯５７，５７を配設して、４本の蛍光灯５６，５６，５７，５７を介して、箱体５１の上下左右面を光らせるように構成した間接照明装置が存在する。
また、特許文献１に開示されているように、縦方向に設置した照明からの光を、鏡裏面で反射板で上下方向に反射させる間接照明付き鏡が存在する。
【特許文献１】実開平４−１２５７６５号公報
【発明の開示】
【発明が解決しようとする課題】
【０００３】
従来の図１９に示すような構造においては、横長鏡５２は浴室のサイズによって横幅が変わるため、上下面を均一に光らせるためには、横方向の蛍光灯５６，５６が１本では足りず、複数本必要になる場合があり、また、長い蛍光灯５６，５６は扱いにくいという問題点があった。
また、前記特許文献１に開示されているような構造においても、照明に近い箇所は明るくなるが、照明から離れた箇所は極端に暗くなり、全体を均一に光らせることが困難であるという問題点があった。
【課題を解決するための手段】
【０００４】
本発明は上記従来の問題点に鑑み案出したものであって、長い蛍光灯を使用することなく、上下面を均一に光らせることのできる浴室用間接照明装置を提供せんとするものであり、請求項１は、浴室の壁面から突出された箱体内の左右両端の少なくとも一端側に光源を縦設し、該光源から箱体内に照射された光を、箱体内に横向きの光を上または下方向へ反射すべく斜めに設けた反射板で上下方向に反射させて箱体の上下面を光らせるように構成した浴室用間接照明装置において、前記反射板は、前記光源の対向端に設けられており、該反射板は、上下面から箱体中心に向かって斜めに設けられ、該反射板の大きさは、水平距離にして光源のある端と対向する端の距離の４〜６割の距離の大きさに設定されていることである。
【０００５】
また請求項２は、前記反射板の反射面が凹曲面に形成されていることである。
また請求項３は、浴室の壁面から突出させた箱体の少なくとも横方向一端側に光源を縦設し、該光源から発光面を介して箱体内に照射された光により、箱体の少なくとも上下面が光るように構成した浴室用間接照明装置において、前記発光面に、前記箱体内に照射される光を上下方向の中心に向けて屈曲させる処理を施したことである。
【０００６】
また請求項４は、浴室の壁面から突出させた箱体の少なくとも横方向一端側に光源を縦設し、該光源から発光面を介して箱体内に照射された光により、箱体の少なくとも上下面が光るように構成した浴室用間接照明装置において、前記発光面の上下端側の透光量が中央側より減ずるように構成したことである。
また請求項５は、前記箱体の前面に鏡を設けたことである。
【発明の効果】
【０００７】
本発明では、箱体内に設けた反射板は、光源の対向端に設けられており、該反射板は、上下面から箱体中心に向かって斜めに設けられ、反射板の大きさは、水平距離にして光源のある端と対向する端の距離の４〜６割の距離の大きさに設定されていることにより、箱体の一端側に縦設された光源から照射された光は、箱体内部に照射され、箱体内部に設けられた反射板で反射されて上下面を光らせることができ、光源から離れた箇所が暗くなることがなく、上下面を均一に光らせることができるものとなる。
【０００８】
また、反射板の反射面が凹曲面に形成されていることにより、凹曲面をなす反射板により、光源から離れた上下面に良好に光を集めることができて、箱体の上下面を均一に光らせることができるものとなる。
【０００９】
また、発光面に、箱体内に照射される光を上下方向の中心に向けて屈曲させる処理を施したことにより、光源から発光面を介して箱体内に照射される光は、上下方向の中心に向けて照射されるため、箱体の光源から離れた箇所まで光が良好に届き、光を光源の近くに集中させないようにすることができ、上下面を均一に光らせることができるものとなる。
【００１０】
また、発光面の上下端側の透光量が中央側より減ずるように構成したことにより、発光面は、上下端側の透光量が少なく中央側の透光量が多いため、発光面の中央側を通って光が箱体の内部に遠くまで届き、光源の近くのみに光が集中することがなく、箱体の上下面を均一に光らせることができるものとなる。
【００１１】
また、箱体の前面に鏡を設けたことにより、鏡に顔を近づけて良好に顔を照らすことができるものとなり、ひげ剃り等の細かい行為を良好に行うことができるものとなる。
【実施例】
【００１２】
以下、本発明の実施例を図面に基づいて説明する。
図１は、浴室内の斜視構成図であり、浴室１内には浴槽２が設けられ、壁面４側には、浴槽２から洗い場３側に亘る横長状の間接照明装置５が設置されている。
この間接照明装置５は、壁面４から突出させた箱体６の前面に鏡７が設けられており、箱体６の左右両側には２段の棚８，８，８，８が設けられている。
【００１３】
図２は、箱体６の分解斜視図であり、箱体６は、Ｌアングル９，９，９，９，９を上下左右に枠組みして方形状に形成され、左側面には左光源ボックス１０が、右側面には右光源ボックス１１が配設されており、上面には半透明乳白色の天板１２が、また底面には半透明乳白色の底板１３が取り付けられて、前面には鏡７が取り付けられるものである。
なお、天板１２の底側と底板１３の上面側には、係止金具１４，１４が複数設けられており、Ｌアングル９，９を壁面４にビスで固定した後に、天板１２及び底板１３を、係止金具１４，１４を介してＬアングル９，９に嵌め込んで取り付けできるように構成されている。
【００１４】
なお、図３には要部の拡大分解図を示す。
即ち、天板１２は上面が開放されたコの字状に形成されており、この天板１２の前立上片１２ａの前面に、鏡７の上端が当接されて、下面開放のコの字状断面をなす上鏡フレーム１５を上方より、天板１２の前立上片１２ａと鏡７を挟み込むように嵌め込んで、上鏡フレーム１５をビスで止め付け、上鏡フレーム１５により天板１２の前面に鏡７の上端を固定できるものである。
このように、鏡７の上端は、天板１２の前立上片１２ａと、上鏡フレーム１５の垂下片１５ａ間に挟み込まれて固定されるのである。
【００１５】
また、図３では、底板１３にビスで取り付けられた係止金具１４を拡大して示しており、係止金具１４は、底板１３にビスで固定される固定片１４ａから立上片１４ｂが立ち上げ形成され、立上片１４ｂの上端から略水平方向に係止片１４ｃが一体形成されたものである。
このように底板１３に係止金具１４，１４を取り付けておき、この状態で、係止金具１４の固定片１４ａと係止片１４ｃ間にＬアングル９を挟み込むようにして、底板１３を前面側からスライドさせてＬアングル９，９に嵌め付けることができるものである。
なお、天板１２側の係止金具１４，１４も同様なものである。
更に、底板１３の下面には下鏡フレーム１６が取り付けられ、この下鏡フレーム１６の前端で立ち上がる立上片１６ａの裏側に、鏡７の下端を当接させて、立上片１６ａと底板１３の前端縁間で鏡７の下端側を挟み込んで、鏡７の下端を固定できるものである。
【００１６】
次に、図４では、右光源ボックス１１と光源２２の分解図を図示しているが、右光源ボックス１１と左光源ボックス１０は、左右共通な部材で構成されているため、右光源ボックス１１を例示して示している。
右光源ボックス１１は、例えば半透明の乳白色のボックス本体１７と、乳白色または白色の側板１８と、反対側の発光板１９で構成されており、ボックス本体１７の裏側には、光源２２を内部に挿入できる挿入穴１７ａが形成されている。
壁面４には裏側からコード２０を通して固定台部２１を固定状に取り付けておき、この固定台部２１には、縦方向に短い蛍光灯からなる光源２２が縦設されている。
このように壁面４に設置された光源２２に対し、前面側から挿入穴１７ａ内に光源２２を入れ込んで、ボックス本体１７を取り付けできるものである。
【００１７】
なお、図５に示すように、固定台部２１のコード２０の周りにはパッキン２３を設けておき、コード２０を通すための壁面４に開けた孔を、このパッキン２３でシールできるように構成されている。
また、図６に右光源ボックス１１の裏面図を示すように、ボックス本体１７に形成された挿入穴１７ａの外周には、パッキン２５が設けられており、このパッキン２５が壁面４に当接することで、光源２２及び固定台部２１内への水等の浸入を確実に防げるように構成されている。
【００１８】
なお、更に図７では、右光源ボックス１１の構成部材の分解斜視図を示す。
右光源ボックス１１のボックス本体１７に対し、側板１８を着脱可能に取り付けることができるように構成されており、ボックス本体１７の左右の側面には、外側へ突出状に方形状の枠部２６，２７が形成されており、この左右の枠部２６，２７の外周側には、外側に突出して所定間隔でリブ２８，２８，２８が突出形成されたものとなっている。
【００１９】
また、側板１８の裏面は図９に示すように、内周に複数の係合片１８ａ，１８ａ，１８ａが所定間隔で突出形成されており、また側板１８の裏側の下部には、下方側へ貫通状に水を流出させるための水抜き溝１８ｂが形成されている。
【００２０】
この側板１８をボックス本体１７に取り付けるに際し、図８の分解図で示すように、予め枠体２６の奥側にパッキン２９を嵌め込んでおき、この状態で、図１１に示すように、枠体２６に設けたリブ２８，２８に対し、上方側より側板１８を落し込み状に被せ、リブ２８，２８に係合片１８ａ，１８ａを係合させて、良好に側板１８を着脱可能にボックス本体１７に水密性を確保して取り付けできるものである。
同様に、ボックス本体１７の左側の枠体２７にも複数のリブ２８，２８が形成されており、この複数のリブ２８，２８に係合できる係合片１９ａ，１９ａが発光板１９にも形成されており、枠部２７のリブ２８に対し発光板１９の係合片１９ａを係合させて、着脱可能に発光板１９をボックス本体１７に取り付けできるように構成されている。
【００２１】
なお、図１０には、発光板１９の裏側からの斜視図を示しており、発光板１９の裏側には、複数枚のレンズで構成された発光面２４が設けられている。
なお、箱体６内の横方向中央部には、図１２に示すように、菱形状に４枚の反射板３０を組み付けて配置させておくことができるものである。
このように菱形の反射板３０を箱体６内に内装させて、箱体６の左右側に、左光源ボックス１０と右光源ボックス１１を設けた構成では、図１３に概略図で示すように、左光源ボックス１０及び右光源ボックス１１内に配置された光源２２，２２から、それぞれ左右の発光面２４，２４を介して光が箱体６内に照射され、この箱体６内に照射された光は反射板３０で反射されて、箱体６の上下面、即ち半透明乳白色の天板１２と底板１３の面を明るく光らすことができるものとなる。
【００２２】
なお、本例では、反射板３０は、図１３において、発光面２４から反射板３０の中心までの距離ａに対し、反射板３０の中心から横方向先端までの距離ｂは、４〜６割の距離の大きさに設定されている。
なお、最良の形態としては、ａに対しｂの距離が１／２であることが好ましく、このような大きさに反射板３０を設定しておけば、光源２２から発光面２４を介して箱体６内に照射された光は、良好に上下面に反射されて上下面を明るく照らすことができ、特に反射板３０の設けられている横方向中央部の上下面が明るく、光源２２側と反射板３０側ではほぼ均一な光で上下面を光らせることができるものとなり、上下面が均一に光って良好な間接照明が得られるものとなる。
【００２３】
なお、図１４は変更例を示すものであり、図１４では、箱体６の左端側に左光源ボックス１０のみを設けて、箱体６の右端側には、２枚の上反射板３０ａと下反射板３０ｂを三角形状に配設したものである。
なお、この場合、左光源ボックス１０の発光面２４から箱体６の右末端側に至る距離ａに対し、箱体６の右末端側から反射板３０ａ，３０ｂの左端に至る距離ｂは、４〜６割の距離に設定されている。なお、最良の形態としては、ａに対しｂの距離が１／２であることが好ましい。
即ち、反射板３０ａ，３０ｂは、箱体６の上下面から箱体中心に向かって斜めに設けられ、反射板３０ａ，３０ｂの大きさは、水平距離にして光源のある端と対向する端の距離の４〜６割の距離の大きさに設定されている
【００２４】
このような構成においても、光源２２からの光が発光面２４を介して箱体６内に照射され、上反射板３０ａと下反射板３０ｂを介して、上下に光が反射されて、光源２２から遠い右末端側の上下面も良好に明るく光らせることができるものとなり、上下面のほぼ全体が均一な明るさに光り、良好な間接照明となる。
また、更に図１５では、上反射板３０ａ及び下反射板３０ｂを放物線状の凹曲面に形成したものであり、このような凹曲面とすることで、箱体６の末端側上下面へ確実に光源２２からの光を届けて、末端側上下面を均一な明るさに光らせることができるものとなる。
【００２５】
なお、前述した左光源ボックス１０及び右光源ボックス１１のそれぞれの発光面２４を工夫することにより、光源２２からの光をより遠くまで届けて、光源２２から遠い位置の上下面を明るく光らせることができるものとなる。
即ち、図１６では、左光源ボックス１０の概略図を示しているが、発光面２４を樹脂レンズで形成して、発光面２４の内側に一体状に、光源２２からの光を上下方向中央部に集光させることのできる集光レンズ部２４ａを形成させておくことができる。
【００２６】
また更には、図１７に示すような鋸歯状の集光レンズ部２４ａを発光面２４の内側に一体形成させても良く、光源２２からの光を上下方向中央部に集光させて遠くまで光を届けて、遠い位置の上下面を良好に明るく光らせることができるものとなる。
【００２７】
更には、図１８に示すように、発光面２４を形成するレンズの上下端側を肉厚状の肉厚部２４ｃ，２４ｃとし、上下方向中央部は肉の薄い薄肉部２４ｂに形成して、薄肉部２４ｂを通る光の透光量が、上下端側よりも多くなるように設計しても良く、このような発光面２４としておけば、上下端側の透光量が少なく中央側の透光量が多いため、発光面２４の中央側を通って光が箱体６の内部に遠くまで届き、光源２２の近くのみに光が集中することがなく、箱体６の上下面を均一に光らせることができるものとなる。
【００２８】
なお、図１６，１７，１８に示したような発光面２４を備えるとともに、前述した反射板３０を配置させることにより、より確実に、光源２２から遠い位置の上下面を明るく光らせることができるものとなる。
なお、本例では、発光面２４を形成するレンズの形状を工夫しているが、発光面２４に光を上下方向の中心に向けて屈曲させる処理を施したものであっても良い。
【図面の簡単な説明】
【００２９】
【図１】浴室内に設けられた間接照明装置の斜視構成図である。
【図２】間接照明装置を構成する箱体の分解斜視構成図である。
【図３】箱体の構成部材の拡大分解斜視図である。
【図４】壁面に固定された光源を光源ボックスで覆蓋する前の分解斜視図である。
【図５】光源の裏側から見た要部拡大斜視図である。
【図６】光源ボックスの裏側から見た要部拡大斜視図である。
【図７】光源ボックスの構成部材の分解斜視図である。
【図８】光源ボックスのボックス本体にパッキンを取り付ける前の要部斜視構成図である。
【図９】光源ボックスの構成部材である側板の裏側から見た斜視構成図である。
【図１０】光源ボックスを構成する発光板の裏側から見た斜視構成図である。
【図１１】光源ボックスを構成するボックス本体に側板を取り付ける前の縦断面分解構成図である。
【図１２】箱体内の中央部に反射板を配置した状態の斜視構成図である。
【図１３】光源からの光を反射板で上下方向に反射させている作用説明図である。
【図１４】箱体の右端側に反射板を設けた場合の変更例の作用説明図である。
【図１５】右端側に設けた反射板を凹曲面とした場合の作用説明図である。
【図１６】光源ボックスを構成する発光面に集光レンズ部を形成した場合の縦断面概略構成図である。
【図１７】図１６の集光レンズ部の変更例を示す縦断面構成図である。
【図１８】更に異なる発光面を構成するレンズの縦断面構成図である。
【図１９】従来の浴室用間接照明装置の分解斜視図である。
【符号の説明】
【００３０】
１  浴室
２  浴槽
３  洗い場
４  壁面
５  間接照明装置
６  箱体
７  鏡
８  棚
９  Ｌアングル
１０  左光源ボックス
１１  右光源ボックス
１２  天板
１３  底板
１４  係止金具
１５  上鏡フレーム
１６  下鏡フレーム
１７  ボックス本体
１７ａ  挿入穴
１８  側板
１８ａ，１９ａ  係合片
１９  発光板
２２  光源（蛍光灯）
２３，２５  パッキン
２４  発光面
２４ａ  集光レンズ部
２４ｂ  薄肉部
２４ｃ  肉厚部
２６，２７  枠部
２８  リブ
３０  反射板
３０ａ  上反射板
３０ｂ  下反射板
【図１】
2005228654.tif 000003
【図２】
2005228654.tif 000004
【図３】
2005228654.tif 000005
【図４】
2005228654.tif 000006
【図５】
2005228654.tif 000007
【図６】
2005228654.tif 000008
【図７】
2005228654.tif 000009
【図８】
2005228654.tif 000010
【図９】
2005228654.tif 000011
【図１０】
2005228654.tif 000012
【図１１】
2005228654.tif 000013
【図１２】
2005228654.tif 000014
【図１３】
2005228654.tif 000015
【図１４】
2005228654.tif 000016
【図１５】
2005228654.tif 000017
【図１６】
2005228654.tif 000018
【図１７】
2005228654.tif 000019
【図１８】
2005228654.tif 000020
【図１９】
2005228654.tif 000021